(57)【要約】      （修正有）【課題】半導体集積化に適した、ＲＦチューナ用トラッキングバンドパスフィルタ装置、システム及び方法を提供する。【解決手段】フィルタ１００は、トランジスタ１０６のエミッタに接続される直列同調ＬＣネットワーク（ＳＴＬＣＮ）１１０、抵抗１３４、及びトランジスタ１０６のコレクタに接続される並列同調ＬＣネットワーク（ＰＴＬＣＮ）１３８、抵抗１４２等から構成され、ＳＴＬＣＮ１１０及びＰＴＬＣＮ１３８は、スイッチ容量アレイ、スイッチ誘導アレイからなり、抵抗は可変抵抗やスイッチ抵抗アレイからなり、スイッチ容量アレイ、スイッチ誘導アレイ、可変抵抗やスイッチ抵抗アレイは、アレイ選択制御１２４により制御される。【選択図】図１
2008079283.tif 000002
【特許請求の範囲】
【請求項１】
フィルタであって、
トランジスタと、
少なくとも１つの妨害信号の同調変性フィルタリングを生成する、前記トランジスタに関連する共通エミッタ回路、または、前記トランジスタに関連する共通ソース回路の少なくとも１つにおける直列同調誘導−容量ネットワーク（ＳＴＬＣＮ）と、
前記フィルタに関連する共振品質係数（Ｑ）の第１の制御を提供する前記ＳＴＬＣＮに関連する第１の抵抗と、
を含むフィルタ。
【請求項２】
前記トランジスタは、バイポーラトランジスタまたは電界効果トランジスタの少なくとも１つを含む、請求項１に記載のフィルタ。
【請求項３】
前記ＳＴＬＣＮに関連して選択される誘導素子と、前記ＳＴＬＣＮに関連して選択される容量素子との少なくとも１つは、デジタル選択できる、請求項１に記載のフィルタ。
【請求項４】
前記誘導素子をそこから選択するためのスイッチ誘導アレイをさらに含む、請求項３に記載のフィルタ。
【請求項５】
前記容量素子をそこから選択するためのスイッチ容量アレイをさらに含む、請求項３に記載のフィルタ。
【請求項６】
前記第１の抵抗は、可変抵抗を含む、請求項１に記載のフィルタ。
【請求項７】
前記第１の抵抗は、抵抗素子のアレイから選択される、請求項１に記載のフィルタ。
【請求項８】
前記同調変性フィルタリングを強化し、前記フィルタに関連したＱの第２の制御を提供する、前記トランジスタに関連したコレクタ回路、または、前記トランジスタに関連したドレイン回路の少なくとも１つにおける並列同調ＬＣネットワーク（ＰＴＬＣＮ）と、
前記フィルタに関連したＱの第３の制御を提供する前記ＰＴＬＣＮに関連した第２の抵抗と、
をさらに含む、請求項１に記載のフィルタ。
【請求項９】
前記ＳＴＬＣＮまたは前記ＰＴＬＣＮの少なくとも１つは、前記少なくとも１つの妨害信号の複合減衰量を提供するカスケード式同調ＬＣネットワークを含む、請求項８に記載のフィルタ。
【請求項１０】
前記フィルタは集積回路に含まれる、請求項１に記載のフィルタ。
【請求項１１】
不変電流を生成すべく前記トランジスタに結合される付勢要素をさらに含む、請求項１に記載のフィルタ。
【請求項１２】
システムであって、
トランジスタと、
少なくとも１つの妨害信号をフィルタリングする同調変性フィルタを生成する、共通エミッタ回路または共通ソース回路の少なくとも１つにおける直列同調誘導−容量（ＬＣ）ネットワーク（ＳＴＬＣＮ）と、
前記フィルタに関連する共振品質係数（Ｑ）の第１の制御を提供する、前記ＳＴＬＣＮに関連する抵抗と、
前記少なくとも１つの妨害信号を受信すべく前記トランジスタに有効に結合される指向性アンテナと、
を含むシステム。
【請求項１３】
前記トランジスタは、バイポーラトランジスタまたは電界効果トランジスタの少なくとも１つを含む、請求項１２に記載のシステム。
【請求項１４】
前記ＳＴＬＣＮに関連する容量素子は、容量素子アレイから選択される、請求項１２に記載のシステム。
【請求項１５】
前記ＳＴＬＣＮに関連する誘導素子は、誘導素子アレイから選択される、請求項１２に記載のシステム。
【請求項１６】
前記同調変性フィルタを強化し、かつ、該フィルタに関連するＱの第２の制御を提供する、コレクタ回路またはドレイン回路の少なくとも１つにおける並列同調ＬＣネットワークをさらに含む、請求項１２に記載のシステム。
【請求項１７】
フィルタを用いて好ましくない周波数の少なくとも１つの妨害信号を除去する方法であって、前記フィルタは、
トランジスタと、
少なくとも１つの妨害信号の同調変性フィルタリングを生成する、共通エミッタ回路、または、共通ソース回路の少なくとも１つにおける直列同調誘導／容量ネットワーク（ＳＴＬＣＮ）と、
前記フィルタに関連する共振品質係数（Ｑ）を制御する、前記ＳＴＬＣＮに関連する抵抗と、
を備える方法。
【請求項１８】
前記トランジスタは、バイポーラトランジスタまたは電界効果トランジスタの少なくとも１つを含む、請求項１７に記載の方法。
【請求項１９】
前記ＳＴＬＣＮに関連する容量素子をコンデンサアレイから選択することをさらに含む、請求項１７に記載の方法。
【請求項２０】
前記ＳＴＬＣＮに関連する誘導素子をインダクタアレイから選択することをさらに含む、請求項１７に記載の方法。
【請求項２１】
前記抵抗は、可変抵抗、分布抵抗、および、抵抗素子アレイから選択される少なくとも１つの抵抗素子に関連するアレイ抵抗の少なくとも１つを含む、請求項１７に記載の方法。
【請求項２２】
スイッチ容量アレイから選択される少なくとも１つの第１の容量素子を用いてＳＴＬＣＮを測定周波数に同調させる工程と、
前記少なくとも１つの第１の容量素子の特徴付け値を測定する工程と、
前記特徴付け値を用いてプロセス展開調整係数を導出する工程と、
をさらに含む、請求項１７に記載の方法。
【請求項２３】
前記プロセス展開調整係数を用い、前記ＳＴＬＣＮ内で望ましい共振周波数を生成する作業容量値を計算する工程と、
前記作業容量値を提供すべく、前記スイッチ容量アレイから少なくとも１つの第２の容量素子を選択する工程と、
をさらに含む、請求項２２に記載の方法。
【請求項２４】
前記フィルタのＱを調整すべく、コレクタ回路またはドレイン回路の少なくとも１つに並列同調ＬＣネットワーク（ＰＴＬＣＮ）を挿入することをさらに含む、請求項１７に記載の方法。
【請求項２５】
前記フィルタに関連するバンドパスチャネルの形状を制御すべく、前記ＰＴＬＣＮに関連する第１の共振周波数と前記ＳＴＬＣＮに関連する第２の共振周波数とをオフセットにすることをさらに含む、請求項２４に記載の方法。
【請求項２６】
前記ＰＴＬＣＮと前記ＳＴＬＣＮとを同調させる工程をさらに含む、請求項２４に記載の方法。
【請求項２７】
前記フィルタを、ＲＦレシーバまたはＲＦトランシーバの少なくとも１つにおけるチャネルトラッキングフィルタとして使用する工程をさらに含む、請求項１７に記載の方法。
【請求項２８】
関連情報を有する機械アクセス可能な媒体を含む物品であって、前記情報にアクセスすることにより、マシンは、
スイッチ誘導アレイからのインダクタおよびスイッチ容量アレイからのコンデンサの少なくとも１つを選択することにより、好ましくない周波数の少なくとも１つの妨害信号を除去するようトラッキングフィルタを調整し、該トラッキングフィルタは、
トランジスタと、
少なくとも１つの妨害信号の同調変性フィルタリングを生成する、共通エミッタ回路、または、共通ソース回路の少なくとも１つにおける直列同調誘導−容量ネットワーク（ＳＴＬＣＮ）と、
前記フィルタに関連する共振品質係数（Ｑ）を制御する、前記ＳＴＬＣＮに関連する抵抗と、を含む物品。
【請求項２９】
前記情報にアクセスすることにより、マシンは、
混合段階に先立ち、中間周波数（ＩＦ）コンバータにおいて前記フィルタを望ましいチャネルに同調させる、請求項２８に記載の物品。
【請求項３０】
前記ＩＦコンバータは、ゼロＩＦコンバータを含み、前記混合段階は、直交混合段階を含む、請求項２９に記載の物品。
【発明の詳細な説明】
【技術分野】
【０００１】
高周波（ＲＦ）フィルタに関連する装置、システム、および、方法を含む、概して電子通信に関する多様な実施例が記載されている。
【背景技術】
【０００２】
従来のＲＦチューナは、約５０メガヘルツから８６０メガヘルツの範囲における地上またはケーブル放送信号を受信するために用いられることができる。このようなチューナは、単一の変換中間周波数技術（ＩＦ）を用いることができる。単一の変換チューナは、ＩＦ信号を生成すべく、単一の混合段階において受信したＲＦ信号と局部発振器（ＬＯ）信号とを混合することができる。一般の中間周波数は、例えば、約３６メガヘルツであってよい。
【０００３】
チューナは、望ましいチャネルを妨害信号から保護するために用いられる多数のトラッキングフィルタを含む。画像チャネルおよび相互変調積を含む特定の妨害信号は、トラッキングフィルタなしの後段で生成され得る。画像チャネルは、ハイサイドミキシングを利用するチューナに対し、ＩＦ出力周波数の２倍で望ましいチャネルの上に位置する。画像チャネルが特に問題なのは、ＩＦ変換後に望ましいチャネルの真上にあるかもしれないからである。トラッキングフィルタは、変換に先立ち１つまたはそれ以上の好ましくないチャネルを抑制するよう、望ましいチャネルの中心に配置されてよい。
【０００４】
チューナのフロントエンドには、全放送スペクトルの受信可能範囲である多数のサブバンド用ＲＦ回路を含むものもある。各サブバンドに関連するＲＦ回路は、その他のサブバンドに関連するトラッキングフィルタと実質的に同一の設計のトラッキングフィルタを含んでよい。
【０００５】
チューナの中には、自動利得制御（ＡＧＣ）段階の前に配置される単一のインダクタ−コンデンサ共振ネットワークを備える第１のトラッキングフィルタを含むものもある。第１のトラッキングフィルタに関連する中心周波数は、望ましいチャネルの中心周波数と共に追跡できる。第１のトラッキングフィルタは、全受信スペクトルから望ましいチャネルを選択してもよいし、画像チャネルを含む好ましくないチャネルに第１の減衰量を提供してもよい。それによって後段で生成されるかもしれない相互変調を防ぐことができる。
【０００６】
第２のトラッキングフィルタは、複同調で疎結合の構成をとる２つの共振ネットワークを含んでよい。第２のトラッキングフィルタは、変換段階の前に配置される。第２のトラッキングフィルタに関連する中心周波数は、望ましいチャネル周波数を追ってよい。第２のトラッキングフィルタは、より高い共振品質係数（Ｑ）減衰量を、画像チャネルを含む好ましくないチャネルに提供できる。
【０００７】
典型的な実施例においては、トラッキングフィルタは、各帯域区分ごとに複製できる。トラッキングフィルタは、バラクターダイオードおよびエアコイルを含む多数の個別の構成要素から形成される。エアコイルに関連するインダクタンス値は、ローバンドにおける数百ナノヘンリーからハイバンドにおける数ナノヘンリーまで異なってよい。エアコイルインダクタは、通常５０を上回る高共振品質係数により特徴付けられてよく、また、手動調整を要することもある。このように構成されるトラッキングフィルタは、半導体集積化には適さないかもしれない。
【発明を実施するための最良の形態】
【０００８】
図１は、本発明の様々な実施例に従うフィルタ１００およびシステム１９０のブロック図を含む。フィルタ１００は、トランジスタ１０６を含んでよい。トランジスタ１０６は、トランジスタの中でもバイポーラトランジスタまたは電界効果トランジスタ（ＦＥＴ）（図示せず）を含んでよい。付勢要素１０８がトランジスタ１０６に結合されることにより、不変電流を生成してよい。フィルタ１００は、１つまたはそれ以上の半導体回路に集積されてよい。
【０００９】
フィルタ１００は、直列同調誘導／容量（ＬＣ）ネットワーク（ＳＴＬＣＮ）１１０を含んでよい。ＳＴＬＣＮ１１０は、バイポーラトランジスタの場合は、共通のエミッタ回路に配置されて良い。また、ＦＥＴの場合は、ＳＴＬＣＮ１１０は、共通のソース回路に配置されてよい（図示せず）。ＳＴＬＣＮ１１０は、結果として、１つまたはそれ以上の妨害信号１１２の同調変性フィルタリングとなる。つまり、中心周波数帯域からの周波数オフセットの増大に伴い負フィードバックは増加してよく、周波数オフセットの増加分、ゲインを減少させてよい。また、周波数オフセットの増大分増やされたフィードバックにより、直線性が高まることもある。結果として、相互変調積の大きさが減少する。
【００１０】
抵抗１１４は、ＳＴＬＣＮ１１０に関連付けられてよい。抵抗１１４は、ＳＴＬＣＮ１１０と直列であってよい。いくつかの実施例においては、抵抗１１４は、ＳＴＬＣＮ１１０に関連する選択された容量素子１１８と、ＳＴＬＣＮ１１０に関連する選択された誘導素子１２２と、あるいは両方と並列であってよい。いくつかの実施例では、抵抗１１４は、ＳＴＬＣＮ１１０の多数のノードに分散されてよい。抵抗１１４は、フィルタ１００に関連するＱの第１の制御を提供してよい。
【００１１】
フィルタ１００のいくつかの実施例において、抵抗１１４、選択された容量素子１１８、および／または、選択された誘導素子１２２は、アレイ選択制御１２４を用いて選択されてよい。アレイ選択制御１２４は、デジタルまたはアナログであってよい。選択された容量素子１１８は、スイッチ容量アレイ１２６から選択されてよい。選択された誘導素子１２２は、スイッチ誘導性アレイ１３０から選択されてよい。１つまたはそれ以上の要素は、スイッチ容量アレイ１２６およびスイッチ誘導アレイ１３０からそれぞれ組み合わされることにより、選択された容量素子１１８の望ましい値と選択された誘導素子１２２の望ましい値とを近づけてよい。
【００１２】
いくつかの実施例においては、抵抗１１４は、可変抵抗を含む。あるいは、抵抗１１４は、抵抗素子１３４のアレイから選択されてよい。
【００１３】
フィルタ１００は、並列同調ＬＣネットワーク（ＰＴＬＣＮ）１３８を含んでもよい。ＰＴＬＣＮ１３８は、バイポーラトランジスタタイプの場合は、トランジスタ１０６に関連するコレクタ回路に配置されてよい。また、ＦＥＴの場合は、ＰＴＬＣＮ１３８はドレイン回路に配置されてよい（図示せず）。ＰＴＬＣＮ１３８は、同調変性フィルタリングを強化することができ、フィルタ１００に関連したＱの第２の制御を提供することもできる。すなわち、ＰＴＬＣＮ１３８は、１つまたはそれ以上の極をフィルタ１００に関連した伝達関数に加えてよい。ＰＴＬＣＮ１３８は、１つまたはそれ以上のスイッチ容量および／または誘導アレイを備えてよい。キャパシタンスおよび／またはインダクタンスは、アレイ選択制御１２４を用いてアレイから選択されてよい。
【００１４】
抵抗１４２は、ＰＴＬＣＮ１３８に関連してよい。抵抗１４２は、ＰＴＬＣＮ１３８を含む容量および／または誘導素子と直列または並列に配置されてよい。抵抗１４２は、フィルタ１００に関連するＱの第３の制御を提供してよい。抵抗１４２は、可変抵抗を含んでもよく、また／あるいは、スイッチ抵抗素子アレイから選択されてもよい。抵抗素子は、アレイ選択制御１２４を用いて選択されてよい。
【００１５】
ＳＴＬＣＮ、ＰＴＬＣＮ、または、両方は、１つまたはそれ以上のカスケード式同調ＬＣネットワークを備えてよい。カスケード式同調ＬＣネットワークは、妨害信号の複合減衰を提供できる。
【００１６】
さらなる実施例では、システム１９０は、フィルタ１００の１つまたはそれ以上を含んでよい。システム１９０は、アンテナ１９２も含んでよい。アンテナ１９２は、数ある中でも、パッチアンテナ、指向性アンテナ、全方向性アンテナ、ビームアンテナ、スロットアンテナ、モノポールアンテナ、または、ダイポールアンテナを含んでよい。アンテナ１９２は、トランジスタ１０６に有効に結合されることにより、妨害信号を受信することができる。
【００１７】
前述した構成要素のいずれも、ソフトウエアにおける実施例を含む多数の方法において実施されてよい。したがって、ここでは、フィルタ１００、トランジスタ１０６、付勢要素１０８、ＳＴＬＣＮ１１０、妨害信号１１２、抵抗１１４および１４２、選択された容量素子１１８、選択された誘導素子１２２、アレイ選択制御１２４、アレイ１２６、１３０および１３４、ＰＴＬＣＮ１３８、システム１９０、および、アンテナ１９２はすべて「モジュール」と位置づけられてよい。
【００１８】
モジュールは、ハードウェア回路、シングルまたはマルチプロセッサ回路、メモリ回路、ソフトウェアプログラムモジュールおよびオブジェクト、ファームウェア、および、それらの組み合わせを、フィルタ１００およびシステム１９０の設計者の要求として、また、様々な実施例の特定の実施態様に適するものとして含んでよい。
【００１９】
様々な実施例の装置およびシステムは、半導体集積化可能な能動、同調ＲＦバンドパスフィルタ以外の用途に役立つことができる。このように、本発明のさまざまな実施例は、それほど限定されない。フィルタ１００およびシステム１９０の具体例は、さまざまな実施例の構造の一般的理解を提供することを意図するものであって、本願明細書に記載される構造を使用する可能性のある装置およびシステムの要素および機能のすべてを完全に説明する役目を果たすことを意図するものではない。
【００２０】
さまざまな実施例における新規の装置およびシステムを含む可能性のある用途は、高速コンピュータ、通信および信号処理回路、モデム、シングルまたはマルチプロセッサモジュール、シングルまたはマルチ埋め込みプロセッサ、マルチコアプロセッサ、データスイッチ、および、多層マルチチップモジュール含む用途特化モジュールにおいて使用される電子回路を含む。このような装置およびシステムは、テレビ、携帯電話、パソコン（例えばラップトップコンピュータ、デスクトップコンピュータ、ハンドヘルドコンピュータ、タブレットコンピュータなど）、ワークステーション、ラジオ、ビデオプレーヤー、オーディオプレーヤー（例えばＭＰ３方式  （ＭＰＥＧ  Ａｕｄｉｏ  ｌａｙｅｒ  ３）プレーヤー）、車両、医療器具（例えば心臓計、血圧計など）、セットトップボックス、その他の様々な電子システム内のサブ構成要素としてさらに含まれてよい。いくつかの実施例は、多数の方法を含んでよい。
【００２１】
図２は、様々な実施例に従ういくつかの方法を示すフローチャートである。方法２００は、好ましくない周波数の１つまたはそれ以上の妨害信号を除去するフィルタを用いてよい。フィルタは、トランジスタ、その中でもバイポーラトランジスタまたはＦＥＴを含んでよい。バイポーラトランジスタに関連する共通エミッタ回路、または、ＦＥＴに関連する共通ソース回路におけるＳＴＬＣＮは、妨害信号をフィルタリングするための同調変性フィルタを生成することができる。ＳＴＬＣＮに関連する抵抗は、前述したように、フィルタに関連するＱを制御することができる。いくつかの実施例では、ＳＴＬＣＮに関連するコンデンサまたはインダクタは、それらの素子各々のアレイから選択することもできる。抵抗は、可変抵抗、分布抵抗、または、抵抗素子のアレイから選択された抵抗も含んでよい。
【００２２】
方法２００は、プロセス展開特徴付けルーチンを利用して同調素子のアレイにおいてプロセス変形例を製造するための測定および補償を行ってよい。以下の説明は、容量アレイのこのルーチンを例証するものであるが、この方法は、誘導アレイにも同様に適用しうる。
【００２３】
方法２００は、ブロック２０５において、１つまたはそれ以上の第１の容量素子を用い、ＳＴＬＣＮを既知の測定周波数に同調させることから初めてよい。第１の容量素子は、フィルタの入力に適用される既知の測定周波数の信号がフィルタの出力においてピーク応答を生じるよう、スイッチ容量アレイから選択されてよい。そして、ブロック２０９において、プロセス展開特徴付けルーチンは、第１の容量素子の特徴付け値（例えばキャパシタンス）を測定してよい。方法２００は、特徴付け値を用い、プロセス展開調整係数を導出しながらブロック２１３を継続してよい。例えば、既知の測定周波数のための共振周波数計算により、第１の容量素子のための公称値５０ピコファラド（ｐｆ）が得られ、特徴付け値は、４５ｐｆとして測定される。プロセス展開調整係数５ｐｆが適用されることにより、同じ製造ロットからダイ上の容量素子がさらに選択される。
【００２４】
したがって、方法２００は、ブロック２１７において、プロセス展開調整係数を用い、望ましい共振周波数の作業容量値を計算することを含む。ブロック２１９において、１つまたはそれ以上の第２の容量素子がスイッチ容量アレイから選択されることにより、作業容量値を提供してよい。
【００２５】
方法２００は、ブロック２２１において、バイポーラトランジスタに関連するコレクタ回路、または、ＦＥＴに関連するドレイン回路にＰＴＬＣＮを挿入することをさらに含んでもよい。ＰＴＬＣＮは、フィルタに関連するＱを調整するよう用いられてよい。いくつかの実施例では、他の方法でナイキスト形状（バンドパス曲線の形状）を決定してもよい。例えば、ブロック２２７において、フィルタに関連するナイキスト形状を制御すべく、ＰＴＬＣＮに関連する第１の共振周波数は、ＳＴＬＣＮに関連する第２の共振周波数とオフセットであってよい。
【００２６】
方法２００は、ブロック２３１において、ＰＴＬＣＮをＳＴＬＣＮに同調させることをさらに含んでよい。方法２００は、ブロック２４５において、ＲＦレシーバまたはトランシーバ内でチャネルトラッキングフィルタのようなフィルタを用いることを含んでよい。方法２００は、ブロック２４９において、混合段階に先立ち、ＩＦコンバータにおける望ましいチャネルにフィルタを同調させることにより終了してよい。いくつかの実施例では、ＩＦコンバータは、直交混合段階を利用するゼロＩＦ（ＺＩＦ）コンバータを含んでよい。
【００２７】
本願明細書中に記載される動作内容は、前述の順序以外の順序で実行してよい。
そして、本願明細書中に特定される方法に関して記載された様々な動作内容は、繰返し、連続して、あるいは、並列に実行されてよい。
【００２８】
コンピュータによるシステムにおけるコンピュータ可読媒体からソフトウェアプログラムを起動させることにより、そのソフトウェアプログラムで定義される機能が実行されてよい。本願明細書中に開示される方法を実施／実行するよう設計されるソフトウェアプログラムを作成すべく、様々なプログラミング言語が用いられてよい。プログラムは、ＪａｖａまたはＣ＋＋のようなオブジェクト指向言語を用いるオブジェクト指向フォーマットで構築されてよい。あるいは、プログラムは、アセンブリまたはＣのような手続き型言語を用いる手続き指向フォーマットで構築されてもよい。ソフトウェアコンポーネントは、アプリケーションプログラムインターフェース、または、リモートプロシージャコールを含むプロセス間通信技術など、当業者にとって公知の多数の機構を用いて通信してよい。様々な実施例の教示は、いかなる特定のプログラミング言語または環境に限定されない。したがって、以下の図３に関して述べるような他の実施例も実現し得る。
【００２９】
図３は、本発明の様々な実施例に従う物品３８５を示すブロック図である。このような実施例は、コンピュータ、メモリシステム、磁気または光学ディスク、他の記憶装置、または、任意のタイプの電子デバイスまたはシステムを含んでよい。物品３８５は、メモリ３８９（例えば電気、光学または電磁素子を含むメモリ）のような機械アクセス可能な媒体に結合される１つまたはそれ以上のプロセッサ３８７を含んでよい。媒体は、関連情報３９１（例えばコンピュータプログラム命令、データ、または、両方）を含んでよく、該情報がアクセスされることにより、マシン（例えばプロセッサ３８７)は前述した動作内容を実行するようになる。
【００３０】
本願明細書中に開示される装置、システム、および、方法を実施することにより、同調可能中心周波数および調整可能ナイキスト形状による能動ＲＦバンドパスフィルタの半導体集積化を実現させることができる。
【００３１】
本発明の実施例は、有線または無線システムの一部として実施されてよい。例えば、これに限定されるものではないが、無線パーソナルエリアネットワーク（ＷＰＡＮ）、無線ＬＡＮ（ＷＬＡＮ）、無線メトロポリタンエリアネットワーク（ＷＭＡＮ）、無線ワイドエリアネットワーク（ＷＷＡＮ）、携帯電話ネットワーク、第三世代（３Ｇ）ネットワーク、第四世代（４Ｇ）ネットワーク、ユニバーサルモバイルテレフォンシステム（ＵＭＴＳ）およびユニバーサルモバイルコミュニケションシステムなどにおいて用いられるマルチキャリア無線通信チャネル（例えば直交周波数分割多重（ＯＦＤＭ）、離散マルチトーン（ＤＭＴ）など）を含む実施例であってもよい。
【００３２】
図示される添付の図面は、発明の内容が実施される特定の実施例を示すがこれに限定されない。図示される実施例は、当業者であれば、本願明細書に開示される教示を実施するに十分なほど詳細に記載されている。他の実施例は、本発明の範囲内において構造的および論理的代替および変更ができるように利用され、またそこから導き出されてよい。したがって、本願明細書における詳細な説明は、限定の意味合いでなく、添付の特許請求の範囲によってのみ定義される。
【００３３】
発明の内容の実施例は、一つ以上が実際に開示されていても本願明細書において個別にまたは集合的に「発明」と呼ばれるが、便宜上に過ぎず、本出願の範囲を単一の発明または発明の概念に限定するものではない。したがって、本願明細書中に特定の実施例が例示および記載されていても、同じ目的を達成するために計算された配置を特定の図示された実施例と入れ替えてもよい。本開示は、様々な実施例のありとあらゆる適合および変化を包括することを意図する。上記実施例と、本願明細書中に特に記載していない実施例との組み合わせも、当該技術者にとり上述の説明を検討すれば明らかであろう。
【００３４】
技術的開示の本質を読者がすばやく確認できる要約を要求する米国特許法施行規則１．７２（ｂ）に従い、開示内容の要約を提供する。これは、特許請求の範囲および趣旨を解釈または制限するためには用いられないという了解の下に提出される。前述の詳細な説明においては、開示を簡単にする目的で様々な特徴が１つの実施例中に集められている。この開示方法は、各特許請求の範囲中に明確に記載される以上のことを要求するためと解釈しないものとする。むしろ、発見される発明の内容は、単一の開示された実施例のすべての特徴より少ない。したがって、以下の特許請求の範囲は、個別の実施例として独自に成り立っている各特許請求の範囲と共に詳細な説明の中に組み込まれる。
【図面の簡単な説明】
【００３５】
【図１】様々な実施例に従う装置および代表的なシステムのブロック図である。
【図２】様々な実施例に従ういくつかの方法を示すフローチャートである。
【図３】様々な実施例に従う物品のブロック図である。
【図１】
2008079283.tif 000003
【図２】
2008079283.tif 000004
【図３】
2008079283.tif 000005
【外国語明細書】
2008079283.tif 000006
2008079283.tif 000007
2008079283.tif 000008
2008079283.tif 000009
2008079283.tif 000010
2008079283.tif 000011
2008079283.tif 000012
2008079283.tif 000013
2008079283.tif 000014
2008079283.tif 000015
2008079283.tif 000016
2008079283.tif 000017
2008079283.tif 000018
2008079283.tif 000019
2008079283.tif 000020
2008079283.tif 000021
2008079283.tif 000022
2008079283.tif 000023
2008079283.tif 000024